(57)【要約】【課題】少なくとも背側ボトムと脚側ボトムを具備し、背側ボトムと脚側ボトムとは同一平面を形成する状態で互いに隣接するとともに、この脚側ボトムは背側ボトムの下方に収納できるように構成されたベッドにおいて、脚側ボトムを収納する際に、脚側ボトムと背側ボトムとの間に形成される空間への物の進入を防止するベッドの挟み込み防止手段を提供すること。【解決手段】挟み込み防止シートを、少なくとも脚側ボトムの上部に配設される脚受マットの上面と背側ボトムの後部下面に具備されるシート取付バーを覆うように配設させる。そして、脚側ボトムの収納動作に伴って形成される脚側ボトムと背側ボトムとの間の空間の少なくとも後方側開口部を遮るように挟み込み防止シートを作用させるようにした。【選択図】図１
2005176929.tif 000002
【特許請求の範囲】
【請求項１】
少なくとも背側ボトムと脚側ボトムを具備し、背側ボトムと脚側ボトムとは同一平面を形成する状態で互いに隣接するとともに、この脚側ボトムは背側ボトムの下方に収納できるように構成されたベッドにおいて、背側ボトムの後部に具備されるシート取付バーに挟み込み防止シートを吊設させるとともに、該挟み込み防止シートを少なくとも脚側ボトムの上面を覆うように配設させ、脚側ボトムの収納動作に伴って形成される脚側ボトムと背側ボトムとの間の空間の少なくとも後方側開口部を遮るように挟み込み防止シートを作用させるようにしたことを特徴とするベッドの挟み込み防止手段。
【請求項２】
ループ状の挟み込み防止シートに少なくともシート取付バー及び脚側ボトムの上部に具備される腰受マットを内在させるように配設したことを特徴とする請求項１に記載のベッドの挟み込み防止手段。
【請求項３】
背側ボトムとシート取付バーとを一体的に構成したことを特徴とする請求項１または請求項２に記載のベッドの挟み込み防止手段。
【発明の詳細な説明】
【技術分野】
【０００１】
本発明は、ベッドの安全装置に関するものである。
【背景技術】
【０００２】
従来の技術では、ベッドの床部を少なくとも背部支持枠と腰部支持枠と脚部支持枠とに分割し、前記背部支持枠は起伏回動自在に後端側をベッド本体に枢着して適宜背上げ可能に設け、一方前記脚部支持枠は腰部支持枠の下部に当該脚部支持枠を移動可能な収納機構により支持され、ベッド状態とソファー状態とに変態可能な構成のベッドがある。
【０００３】
この技術によると、脚部支持枠の上に物を置いた状態で、脚部支持枠を腰部支持枠の下部に収納した場合に、その物を腰部支持枠と脚部支持枠の間に引き込んでしまう可能性がある。そのことにより、ベッドを破損してしまう恐れがある。
【特許文献１】特開平９−３１３５４６号公報
【発明の開示】
【発明が解決しようとする課題】
【０００４】
そこで、本発明は上記事情を鑑みてなされたものであり、脚側ボトムを収納する際に、脚側ボトムと背側ボトムとの間に形成される空間への物の進入を防止するベッドの挟み込み防止手段を提供することを課題とする。
【課題を解決するための手段】
【０００５】
請求項１の発明は、少なくとも背側ボトムと脚側ボトムを具備し、背側ボトムと脚側ボトムとは同一平面を形成する状態で互いに隣接するとともに、この脚側ボトムは背側ボトムの下方に収納できるように構成されたベッドにおいて、背側ボトムの後部に具備されるシート取付バーに挟み込み防止シートを吊設させるとともに、該挟み込み防止シートを少なくとも脚側ボトムの上面を覆うように配設させ、脚側ボトムの収納動作に伴って形成される脚側ボトムと背側ボトムとの間の空間の少なくとも後方側開口部を遮るように挟み込み防止シートを作用させるようにしたことを特徴とする。
請求項２の発明は、ループ状の挟み込み防止シートに少なくともシート取付バー及び脚側ボトムの上部に具備される腰受マットを内在させるように配設したことを特徴とする。
請求項３の発明は、背側ボトムとシート取付バーとを一体的に構成したことを特徴とする。
【発明の効果】
【０００６】
したがって、請求項１の発明によれば、背側ボトムの後部に具備されるシート取付バーに挟み込み防止シートを吊設させるとともに、該挟み込み防止シートを少なくとも脚側ボトムの上面を覆うように配設させる。そして、脚側ボトムの収納動作に伴って形成される脚側ボトムと背側ボトムとの間の空間の少なくとも後方側開口部を遮るように挟み込み防止シートを作用させるようにした。すなわち、この挟み込み防止手段は、脚側ボトムの収納動作に伴い、脚側ボトムに対して背側ボトムが相対的に上方かつ後方に移動することを利用し、収納動作により形成される脚側ボトムと背側ボトムとの間の空間の少なくとも後方側開口部を遮るよう挟み込み防止シートに幕を張らせるとともに、挟み込み防止シートに該挟み込み防止シート上に載っている物（異物）を後方へ押し出すように作用させるようにしている。
よって、異物が脚側ボトムと背側ボトムとの間に侵入することを防止でき、異物の挟み込みによりベッドが破損することを防止することができる。また、同様に、ベッドに仰臥している利用者の下腿あるいは足を脚側ボトムと背側ボトムとの間に挟み込んでしまうことも防止でき、安全性の高いベッドとすることができる。
また、請求項２の発明によれば、ループ状の挟み込み防止シートに少なくともシート取付バー及び脚側ボトムの上部に具備される腰受マットを内在させるように配設した。これによると、収納動作により形成される脚側ボトムと背側ボトムとの間の空間の少なくとも後方側開口部を遮るように、脚側ボトムの収納動作に伴って、挟み込み防止シートに幕を張らせることができるとともに、挟み込み防止シートに該挟み込み防止シート上に載っている物（異物）を後方へ押し出すように作用させることができる。
さらに、請求項３の発明によれば、背側ボトムとシート取付バーを一体的に構成した。すなわち、背側ボトムの一部をシート取付バーとして利用できるようにした。これによると、挟み込み防止手段の構成を簡略化することができる。
【発明を実施するための最良の形態】
【０００７】
本発明にかかるベッドの挟み込み防止手段は、少なくとも背側ボトムと脚側ボトムを具備し、背側ボトムと脚側ボトムとは同一平面を形成する状態で互いに隣接するとともに、この脚側ボトムは背側ボトムの下方に収納できるように構成されたベッドにおいて、ループ状の挟み込み防止シートを、脚側ボトムの上部に配設される脚受マットと背側ボトムの後部に具備されるシート取付バーを内在するように配設させる。そして、脚側ボトムの収納動作に伴って形成される脚側ボトムと背側ボトムとの間の空間の少なくとも後方側開口部を遮るように挟み込み防止シートを作用させるようにした。すなわち、この挟み込み防止手段は、脚側ボトムの収納動作に伴って、脚側ボトムに対して背側ボトムが相対的に上方かつ後方に移動することを利用し、収納動作により形成される脚側ボトムと背側ボトムとの間の空間の少なくとも後方側開口部を遮るように、挟み込み防止シートに幕を張らせるとともに、挟み込み防止シートに該挟み込み防止シート上に載っている物（異物）を後方へ押し出すように作用させるようにしている。
【０００８】
したがって、この挟み込み防止手段によると、異物が脚側ボトムと背側ボトムとの間に侵入することを防止でき、異物の挟み込みによりベッドが破損することを防止することができる。また、同様に、ベッドに仰臥している利用者の下腿あるいは足を脚側ボトムと背側ボトムとの間に挟み込んでしまうことも防止でき、安全性の高いベッドとすることができる。
【実施例１】
【０００９】
本発明にかかる挟み込み防止手段を具備したベッドの一実施形態を図面に基づいて説明する。なお、ベッドに仰臥した利用者の頭側を前、足側を後として、前後左右とする。
このベッド１は、基台部２と、該基台部２に前後摺動可能に配設される摺動台３と、該摺動台３を前後摺動させる作動部４と、摺動台３に配設される腰受ボトム５と、該腰受ボトム５に隣接するように配設される背受ボトム６及び脚受ボトム７と、前記腰受ボトム５と背受ボトム６の上部に配設されるマット８と、前記脚受ボトム７の上部に配設される脚受マット９から主に構成される。また、このベッド１には、前記摺動台３の前後摺動により前記背受ボトム６を起伏させる起伏機構１０と、前記摺動台３の前後摺動により前記脚受ボトム７を腰受ボトム５下方に収納させる収納機構１１と、前記腰受ボトム５と脚受ボトム７との間に配設される挟み込み防止手段１２が具備される。
なお、本実施例における腰受ボトム５と背受ボトム６は背側ボトムに当たる部材であり、脚受ボトム７は脚側ボトムに当たる部材である。
【００１０】
まず、第２図に基づいて、基台部２について説明する。
２ａ，２ａは左右一対の主桁である。該一対の主桁２ａ，２ａを左右方向に離間させ、そして、該主桁２ａ，２ａの前端を左右方向の桁パイプ２ｂにて連結させる。
２ｃ，２ｃは正面視において略々コ字状に構成した左右一対のレール桁である。該一対のレール桁２ｃ，２ｃの開口している側が互いに向かい合うように、前記主桁２ａ，２ａの左右内側面に固着させる。そして、該レール桁２ｃ，２ｃと前記主桁２ａ，２ａの後端面を覆う蓋板２ｄ，２ｄをそれぞれ固着させる。また、前記レール桁２ｃ，２ｃの後部上面に左右方向の連結桁２ｅを固着させる。
２ｆ，２ｆは下端に接地部材２ｇ，２ｇを止着した支柱パイプである。該支柱パイプ２ｆ，２ｆの上部を前記桁パイプ２ｂの両端にそれぞれ固着させる。そして、該支柱パイプ２ｆ，２ｆの下部間に連結桁２ｈを固着させる。さらに、後端に接地部材２ｉ，２ｉが止着された支持パイプ２ｊ，２ｊの前端を支柱パイプ２ｆ，２ｆの下部後面にそれぞれ固着させる。また、補強パイプ２ｋ，２ｋを支持パイプ２ｊ，２ｊと前記レール桁２ｃ，２ｃ間にそれぞれ固着させる。
【００１１】
１３，１３は略々Ｌ字状に曲折させた前カムプレートである。該前カムプレート１３，１３を前記レール桁２ｃ，２ｃの略々中間部上面に固着させる。そして、該前カムプレート１３，１３から一定間隔離間した後方に、略々Ｌ字状に曲折させた後カムプレート１４，１４を固着させる。なお、このときに、前カムプレート１３，１３及び後カムプレート１４，１４は、平面視において、レール桁２ｃ，２ｃから内側にはみ出した状態でレール桁２ｃ，２ｃに固着させる。また、後カムプレート１４，１４の上面には反転軸１５，１５が左右方向内側へ突出するように固着される。
１６，１６は側面視において略々台形状の揺動プレートである。該揺動プレート１６，１６を前記主桁２ａ，２ａの後部上面に固着させる。
１７，１７は差込筒である。該差込筒１７，１７を前記支柱パイプ２ｆ，２ｆの前面にそれぞれ固着させる。このときに、差込筒１７，１７が上下方向の軸心を持つようにさせる。そして、前記差込筒１７，１７に、ヘッドボード１８の下部に取付けられた嵌合軸１８ａ，１８ａを差込み、基台部２は構成される。
すなわち、基台部２は側面視において、主桁２ａ，２ａと支持パイプ２ｊ，２ｊ間に後方向きの開放された空間が形成され、この空間に後述する脚受ボトム７を収納させることができ、脚受ボトム７の幅を任意に設定できる構成となっている。
【００１２】
次に、第３図及び第４図に基づいて、前記基台部２に前後摺動可能に配設される摺動台３について説明する。
３ａ，３ａは左右一対の主パイプである。該主パイプ３ａ，３ａを左右方向へ離間させて、連結パイプ３ｂを主パイプ３ａ，３ａの後部内側面間に固着させる。また、正面視において略々コ字状の連結パイプ３ｃを前記主パイプ３ａ，３ａの前部下面に固着させる。なお、左右の主パイプ３ａ，３ａの間隔は、前記基台部２のレール桁２ｃ，２ｃの間隔よりも狭くしている。
１９，１９・・・は細径部１９ａ，１９ａ，・・・と大径部１９ｂ，１９ｂ，・・・からなる段付車軸である。該段付車軸１９，１９，・・・は、前記主パイプ３ａ，３ａの前部と略々中間部に、細径部１９ａ，１９ａ，・・・が左右外側方向へ突出するように取付けられ、さらに、細径部１９ａ，１９ａ，・・・に前記基台部２のレール桁２ｃ，２ｃの内部で転動可能なローラー２０，２０，・・・が取付けられて、摺動台３は構成される。
したがって、摺動台３は、前記基台部２のレール桁２ｃ，２ｃに沿って、前後方向に摺動可能とされている。
【００１３】
次に、第４図に基づいて、前記摺動台３を前後摺動させる作動部４について説明する。
２１，２１は動力源となるアクチュエーター２２の後部と前記摺動台３とを連結するための連結具である。該連結具２１，２１は空孔部２１ａ，２１ａが穿たれた板材であり、前記摺動台３の連結パイプ３ｂの中間部前面に、連結具２１，２１の空孔部２１ａ，２１ａ軸心が一致するように、それぞれ固着させる。そして、アクチュエーター２２の後部を連結具２１，２１の空孔部２１ａ，２１ａ間に配設させ、両者を連結軸２３にて連結させる。
２４はアクチュエーター２２の前部と前記基台部２とを連結する連結具である。該連結具２４は平面視において略々コ字状、かつ側面視において略々三角形状をしており、後方へ突出した頂点近傍には左右方向の軸心を持つ空孔部２４ａ，２４ａが穿たれている。該連結具２４を前記基台部２の桁パイプ２ｂと連結桁２ｈの中間部に固着させる。そして、アクチュエーター２２の前部を連結具２４の空孔部２４ａ，２４ａ間に配設し、両者を連結軸２５にて連結させて、作動部４は構成される。
したがって、作動部４は、駆動源であるアクチュエーター２２の伸縮により、前記摺動台３を前後に適宜摺動可能としている。
【００１４】
なお、本実施例においては、動力源として伸縮可能なアクチュエーター２２を用いているが、例えばネジと螺合体により相対的に前後に摺動するように構成しても良く、本実施例に限定するものではなく、摺動台３が基台部２に対して前後に摺動可能とするものであれば何ら問題はない。
また、本実施例において作動部４のアクチュエーター２２の制御装置を図示してはいないが、該制御装置は基台部２に対して摺動台３を任意の位置で作動及び停止できるように構成されているものである。
【００１５】
次に、第３図及び第５図に基づいて、摺動台３に配設される腰受ボトム５について説明する。
５ａはパイプを曲折させた平面視において略々矩形状の枠体である。該枠体５ａの内部に、前後方向の補強パイプ５ｂ，５ｂの前端が枠体５ａの前部より突出するようにそれぞれ固着させる。そして、該補強パイプ５ｂ，５ｂの前端に左右方向の軸心を持つボス５ｃ，５ｃをそれぞれ固着させる。また、枠体５ａの内部の前部に横パイプ５ｄ，５ｄをそれぞれ固着させて、該横パイプ５ｄ，５ｄ下面にブラケット５ｅ，５ｅをそれぞれ固着させる。そして、該ブラケット５ｅ，５ｅにローラー５ｆ，５ｆを転動自在となるようにそれぞれ支承させる。
５ｇ，５ｇは側面視において略々コ字状の支持具である。該支持具５ｇ，５ｇは腰受ボトム５を前記摺動台３に配設したときに、腰受ボトム５を摺動台３に対して平行に支持するためのものであり、該支持具５ｇ，５ｇを補強パイプ５ｂ，５ｂの中間部下面にそれぞれ固着させる。
そして、略々鉤状に曲折されたマット止め具５ｈ，５ｈを枠体５ａの両側部にそれぞれ固着させ、さらに、マット止めプレート５ｉ，５ｉを枠体５ａの後部にそれぞれ固着させて、腰受ボトム５は構成される。
【００１６】
然る後、腰受ボトム５のボス５ｃ，５ｃを、前記摺動台３の主パイプ３ａ，３ａの中間部上面に固着された側面視において略々三角形状の取付部材２６，２６に穿たれた空孔部２６ａ，２６ａ間に配設させ、取付軸２７，２７にて両者を枢結させる。これにより、腰受ボトム５は取付軸２７，２７を中心に揺動可能、かつ取付軸２７，２７と支持具５ｇ，５ｇにより摺動台３に対して平行な状態で保持可能に取付けられる。
したがって、腰受ボトム５は、前記摺動台３を前方へ摺動させると、摺動台３とともに前方へ向けて移動されるとともに、腰受ボトム５のローラー５ｆ，５ｆが前記基台部２の揺動プレート１６，１６に沿って転動し、前記取付軸２７，２７を中心に揺動されるようになっている（第８図参照）。
なお、図示してはいないが、腰受ボトム５の内部にはマット８の受けの役割を果たすステーが複数本固着されている。
【００１７】
次に、第５図に基づいて、前記腰受ボトム５に隣接するように配設される背受ボトム６について説明する。
６ａはパイプを曲折させた平面視において略々コ字状の枠体である。該枠体６ａの両端に左右方向の基部パイプ６ｂを固着させ、内部に前後方向の補強パイプ６ｃ，６ｃをそれぞれ固着させる。
６ｄ，６ｄは後述する起伏機構１０の取付部となる第一ブラケットである。該第一ブラケット６ｄ，６ｄを前記基部パイプ６ｂの適所にそれぞれ固着させる。さらに、第一ブラケット６ｄ，６ｄと同様に起伏機構１０の取付部となる第二ブラケット６ｅ，６ｅを、補強パイプ６ｃ，６ｃの適所にそれぞれ固着させる。
６ｆ，６ｆはサイドレールを装着可能、かつマット止めとしても機能する前後端に差込筒６ｇ，６ｇが固着されたサイドレール保持具である。該サイドレール保持具６ｆ，６ｆの後部内側面を基部パイプ６ｂの端部に固着させるとともに、前部内側面を枠体６ａの側部中間部に取付プレート６ｉ，６ｉを介して固着させて、背受ボトム６は構成される。
なお、図示してはいないが、背受ボトム６の内部にはマット８の受けの役割を果たすステーが複数本固着されている。
【００１８】
次に、第３図及び第５図に基づいて、前記摺動台３の前後摺動により前記背受ボトム６を起伏させる起伏機構１０について説明する。
２８，２８は側面視において略々三角形状をした第一杆体である。該第一杆体２８，２８の中部に位置する頂点近傍には空孔部２８ａ，２８ａが穿たれている。この第一杆体２８，２８の空孔部２８ａ，２８ａと前記摺動台３の主パイプ３ａ，３ａの前部側面に穿たれた空孔部２９，２９とを軸材３０，３０にて、該第一杆体２８，２８が摺動台３の主パイプ３ａ，３ａ内側に配設されるように枢結させる。そして、この第一杆体２８，２８の上部に位置する頂点近傍と前記背受ボトム６の第一ブラケット６ｄ，６ｄとを軸材３１，３１にて枢結させる。
３２，３２は第二杆体である。この第二杆体３２，３２の前部と前記基台部２の連結桁２ｈに固着したブラケット３３，３３とを軸材３４，３４にて枢結させる。そして、第二杆体３２，３２の後部と前記背受ボトム６の第二ブラケット６ｅ，６ｅとを軸材３５，３５にて枢結させる。さらに、第二杆体３２，３２の中間部と第三杆体３６，３６の前部とを軸材３７，３７にて枢結させ、第三杆体３６，３６の後部と第一杆体２８，２８の下部に位置する頂点近傍とを軸材３８，３８にて枢結させて、左右の起伏リンク３９，３９が構成される。
そして、前記左右の第一杆体２８，２８を連結パイプ４０にて連結させて、起伏機構１０は構成される。
【００１９】
このように構成された起伏機構１０は、ベッド１がベッド状態において、前記背受ボトム６と腰受ボトム５が同一平面を形成するように、かつ両者が隣接するように、背受ボトム６を支持している。
なお、連結パイプ４０は、左右の起伏リンク３９，３９を均等かつ同期的に作動させ、背受ボトム６を起伏させる際に、背受ボトム６が捩れること等を防止するためのものである。また、背受ボトム６が水平状態にあるときに、該背受ボトム６を第一杆体２８，２８と第二杆体３２，３２とともに支持する支持具４１，４１が前記基台部２の主桁２ａ，２ａの前部上面に固着される。さらに、前記背受ボトム６と腰受ボトム５に渡って、その上部にマット８が載置される。
【００２０】
次に、起伏機構１０による背受ボトム６の起伏動作について説明する（第８図参照）。なお、ベッド１の初期状態はベッド状態とする。
まず、アクチュエーター２２を縮める。すると、摺動台３が前方へ摺動するとともに、起伏機構１０の第一杆体２８，２８も前方へ移動する。これに伴って、第三杆体３６，３６が軸材３４，３４を中心に第二杆体３２，３２を前上方へ回動させ、第二杆体３２，３２に枢結した背受ボトム６の第二ブラケット６ｅ，６ｅを起伏支点として、軸材３１，３１を中心に背受ボトム６を回動させる。また、これらの動きに伴って、第一杆体２８，２８も前上方へ回動し、背受ボトム６は前記腰受ボトム５のボス５ｃ，５ｃから離間するように上方へ押し上げられる。すなわち、背受ボトム６は、前方へ移動されるとともに、前記腰受ボトム５のボス５ｃ，５ｃから徐々に離間するように押し上げられながら起立するように、起伏機構１０により移動される。したがって、利用者の腰部の屈曲位置と背受ボトム６の見かけ上の回動中心が略々一致した状態で、利用者とマット８との間に違和感がでないように、背受ボトム６は背上げされる。
また、アクチュエーター２２を伸長させると、起伏機構１０が上述とは逆の手順となって作動し、背受ボトム６は後方へ移動されながら水平な状態となる。
なお、起伏機構１０は前記摺動台３の前後摺動により作動する構成となっており、この起伏機構１０の作動と同時に、前記腰受ボトム５が移動及び揺動されることは言うまでもない。
【００２１】
次に、第６図及び第７図に基づいて、前記腰受ボトム５に隣接するように配設される脚受ボトム７について説明する。
７ａはパイプを曲折させた平面視において略々矩形状の枠体である。該枠体７ａの内部に、適所に空孔部７ｂ，７ｂ，・・・が穿たれた前後方向の補強パイプ７ｃ，７ｃ，をそれぞれ固着させる。そして、枠体７ａの両側部に略々鉤状に曲折されたマット止め具７ｄ，７ｄをそれぞれ固着させ、さらに、枠体７ａの後部に略々鉤状に曲折されたマット止め具７ｅを固着させて、腰受ボトム７は構成される。
なお、図示してはいないが、脚受ボトム７の内部には、脚受マット９の受けの役割を果たすステーが複数本固着されている。
【００２２】
次に、第６図及び第７図に基づいて、前記摺動台３の前後摺動により前記脚受ボトム７を前記腰受ボトム５下方に収納させる収納機構１１について説明する。
４２，４２は側面視において略々逆ヘ字状の前回動アームである。該前回動アーム４２，４２の前端と後端に、それぞれ左右方向の軸心を持つようにボス４２ａ，４２ａ，４２ｂ，４２ｂを固着させる。さらに、前回動アーム４２，４２の後部に、左右方向内側へ突出するように軸体４２ｃ，４２ｃをそれぞれ固着させる。そして、この前回動アーム４２，４２の前端側のボス４２ａ，４２ａを前記摺動台３前側の段付車軸１９，１９の大径部１９ｂ，１９ｂに枢結させる。すなわち、該前回動アーム４２，４２のボス４２ａ，４２ａは、前記摺動台３の主パイプ３ａ，３ａとローラー２０，２０との間に位置する。
４３，４３は側面視において略々逆ヘ字状の後回動アームである。該後回動アーム４３，４３の前端と後端に、それぞれ左右方向の軸心を持つようにボス４３ａ，４３ａ，４３ｂ，４３ｂを固着させる。さらに、前端側のボス４３ａ，４３ａに、前記基台部２の後カムプレート１４，１４下面を転動するローラー４４，４４が支承されるプレート４３ｃ，４３ｃを固着させる。なお、このプレート４３ｃ，４３ｃには、前記ローラー４４，４４が支承される軸部材４３ｄ，４３ｄが固着され、該軸部材４３ｄ，４３ｄの後方に位置するように突起部４３ｅ，４３ｅが設けられている。そして、該後回動アーム４３，４３の前端側のボス４３ａ，４３ａを前記摺動台３後側の段付車軸１９，１９の大径部１９ｂ，１９ｂに枢結させる。すなわち、該後回動アーム４３，４３のボス４３ａ，４３ａは、前記摺動台３の主パイプ３ａ，３ａとローラー２０，２０との間に位置する。
４５は平面視において前方が開放された略々コ字状の支持フレームであり、左右の主桁４５ａ，４５ａ間に横桁４５ｂを固着したものである。該支持フレーム４５の主桁４５ａ，４５ａの前部と中間部に、前記前回動アーム４２，４２と後回動アーム４３，４３が取付け可能となるように、ボス４５ｃ，４５ｃ，・・・をそれぞれ固着させる。なお、このボス４５ｃ，４５ｃ，・・・の前後間隔は、前記摺動台３の段付車軸１９，１９，・・・の前後間隔と等しくしている。そして、該支持フレーム４５の前側のボス４５ｃ，４５ｃと前記前回動アーム４２，４２の後端側のボス４２ｂ，４２ｂを、支持フレーム４５の後側のボス４５ｃ，４５ｃと前記後回動アーム４３，４３の後端側のボス４３ｂ，４３ｂをそれぞれ軸材４６，４６，・・・にて枢結させる。さらに、主桁４５ａ，４５ａの後端に脚受ボトム７の取付部材４５ｄ，４５ｄを固着させるとともに、主桁４５ａ，４５ａの後部上面にも脚受ボトム７の取付部材４５ｅ，４５ｅを固着させる。なお、該取付部材４５ｅ，４５ｅと前記取付部材４５ｄ，４５ｄの前後間隔は、前記脚受ボトム７の空孔部７ｂ，７ｂ，・・・の前後間隔と一致させている。
【００２３】
４７，４７は支持プレートであり、該支持プレート４７，４７の下部と前記支持フレーム４５の取付部材４５ｄ，４５ｄを軸材４８，４８にて枢結させる。また、支持プレート４７，４７の上部と前記脚受ボトム７の後側の空孔部７ｂ，７ｂとを軸材４９，４９にて枢結させる。
５０，５０は支持プレートであり、該支持プレート５０，５０の略々中間部と前記支持フレーム４５の取付部材４５ｅ，４５ｅを軸材５１，５１にて枢結させる。また、支持プレート５０，５０の上部と前記脚受ボトム７の前側の空孔部７ｂ，７ｂとを軸材５２，５２にて枢結させる。なお、この支持プレート５０，５０は連結パイプ５３にて連結されている。これは左右の支持プレート５０，５０を均等かつ同期的に作動させるためである。
５４，５４は前端に軸受部材５４ａ，５４ａが固着されたロッドである。該ロッド５４，５４の後部と前記支持プレート５０，５０の下部とを軸材５５，５５にて枢結させる。そして、軸受部材５４ａ，５４ａと前記前回動アーム４２，４２の軸体４２ｃ，４２ｃとを軸材５６，５６にて枢結させて、収納機構１１は構成される。なお、前記ロッド５４，５４は連結パイプ５７にて連結されている。これは連結パイプ５３と同様の働きをするものである。
このように構成された収納機構１１は、ベッド１がベッド状態において、前記脚受ボトム７と腰受ボトム５が同一平面を形成するように、かつ両者が隣接するように、脚受ボトム７を支持している。
【００２４】
次に、収納機構１１による脚受ボトム７の収納動作について説明する（第８図参照）。なお、ベッド１の初期状態はベッド状態とする。
まず、アクチュエーター２２を縮める。すると、摺動台３が前方へ摺動する。それに伴い、後回動アーム４３，４３に配設されたローラー４４，４４が前記基台部２の後カムプレート１４，１４の下面に沿って移動し、収納機構１１全体が前方へ移動するとともに、脚受ボトム７も前方へ移動する。
そして、さらにアクチュエーター２２を縮めると、後回動アーム４３，４３のプレート４３ｃ，４３ｃの突起部４３ｅ，４３ｅが前記基台部２の反転軸１５，１５に接当し、後回動アーム４３，４３に配設されたローラー４４，４４が前記基台部２の前カムプレート１３，１３と後カムプレート１４，１４の間に形成された溝部に嵌まり込むようになる。すると、後回動アーム４３，４３が下方回動するので、前回動アーム４２，４２も下方回動し、支持フレーム４５が前下方へ移動する。これに伴って、ロッド５４，５４が支持プレート５０，５０を半時計回りに回動させるように作動し、脚受ボトム７を半時計回りに移動させる。すなわち、脚受ボトム７は前下方へ移動されながら、半時計回りに移動される。
さらにアクチュエーター２２を縮めると、後回動アーム４３，４３に配設されたローラー４４，４４が前記基台部２の前カムプレート１３，１３と後カムプレート１４，１４の間に形成された溝部に嵌まり込んだ状態で、後回動アーム４３，４３が前方回動するとともに、前回動アーム４２，４２が前方回動し、支持フレーム４５を前方へ移動させる。これに伴って、ロッド５４，５４が支持プレート５０，５０をさらに半時計回りに回動させて、脚受ボトム７をさらに半時計回りに移動させる。すなわち、脚受ボトム７はさらに前方へ移動されながら、半時計回りに移動される。
したがって、脚受ボトム７は、腰受ボトム５の下方に収納される。
【００２５】
なお、上述の収納機構１１によると、前記基台部２に後方向きに開放された空間を構成していることから、脚受ボトム７の幅を広げたものとしても、正常に作動することは言うまでもない。
また、収納機構１１は前記摺動台３の前後摺動により作動する構成となっており、この収納機構１１の作動と同時に、前記起伏機構１０が作動されることと、腰受ボトム５が摺動及び揺動されることは言うまでもない。
【００２６】
次に、第５図及び第７図に基づいて、前記脚受ボトム７と腰受ボトム５との間に配設される挟み込み防止手段１２について説明する。
５８，５８は正面視において略々Ｌ字状に曲折されたシート取付バーであり、該シート取付バー５８，５８を前記腰受ボトム５の枠体５ａの後部下面に固着させる。なお、シート取付バー５８，５８間には適当な隙間が設けられている。
５９はループ状の挟み込み防止シートである。この挟み込み防止シート５９を、前記シート取付バー５８，５８間の隙間から一方のシート取付バー５８に該シート取付バー５８が内在するように引掛ける。そして、その挟み込み防止シート５９を左右のシート取付バー５８，５８を略々均等に覆うように拡げて、挟み込み防止シート５９をシート取付バー５８，５８に取付ける。さらに、挟み込み防止シート５９の内部に脚受マット９を配設させ、該脚受マット９を前記脚受ボトム７に載置させて、挟み込み防止手段１２は構成される。なお、挟み込み防止シート５９には、幾らかの弛みが設けられている。
【００２７】
この挟み込み防止手段１２は、脚受ボトム７の収納動作に伴って、以下のように作動する（第８図参照）。なお、ベッド１の初期状態はベッド状態とする。
前記収納機構１１より脚受ボトム７が下方へ移動され始めると、脚受ボトム７に対して相対的に腰受ボトム５が上方へ移動するようになる。これにより、シート取付バー５８，５８が挟み込み防止シート５９を引き上げ、挟み込み防止シート５９に幕を張らせて、挟み込み防止シート５９に腰受ボトム５と脚受ボトム７との間に形成される空間の後方側開口部を遮るように作用させる。
また、前記収納機構１１による脚受ボトム７の前方への移動により、脚受ボトム７に対して相対的に腰受ボトム５が後方へ移動するようになる。これにより、シート取付バー５８，５８が挟み込み防止シート５９を繰り上げながら移動し、挟み込み防止シート５９に幕を張った状態を保たせながら、挟み込み防止シート５９に該挟み込み防止シート５９上に載っている物を後方へ押し出すように作用させる。
【００２８】
したがって、この挟み込み防止手段１２によると、脚受マット９の上に何らかの物（異物）を載せた状態で、脚受ボトム７を収納させたときに、挟み込み防止シート５９が腰受ボトム５と脚受ボトム７との間の空間の後方側開口部を遮るように、かつ挟み込み防止シート５９上に載っている物を後方へ押し出すように作用することから、異物が腰受ボトム５と脚受ボトム７との間に侵入することを防止でき、ベッド１が破損することを防止することができる。また、同様に、ベッド１に仰臥している利用者の下腿あるいは足を腰受ボトム５と脚受ボトム７の間に挟み込んでしまうことも防止でき、安全性の高いベッド１とすることができる。
【００２９】
なお、挟み込み防止シート５９の幅寸法は脚受マット９の幅寸法と一致させることが最適である。これは、脚受マット９の上面から挟み込み防止シート５９が作用しない部位を極力なくすためである。
また、本実施例の挟み込み防止手段１２においては、シート取付バー５８，５８と脚受マット９を内在させるようにして、挟み込み防止シート５９を配設させているが、以下のようにしても、本実施例と同様の作用と効果を得ることができる。
例えば、脚受ボトム７も挟み込み防止シート５９の内部に位置するように、挟み込み防止シート５９を配設しても良い。また、ループ状に構成していない挟み込み防止シートの一端を前記脚受マット９あるいは脚受ボトム７の前端側に固定させ、前記シート取付バー５８，５８を介して、他端を脚受マット９あるいは脚受ボトム７の後端側に固定させるようにしても良い。すなわち、挟み込み防止シートを少なくとも脚受ボトム７の上面とシート取付バー５８，５８を覆うように腰受ボトム５と脚受ボトム７との間に配設して、挟み込み防止手段を構成するようにすれば良い。
さらに、本実施例では、シート取付バー５８，５８を左右一対かつ、両者の間に隙間を設けるようにして構成しているが、該シート取付バー５８，５８の代わりに、前記腰受ボトム５の一部をシート取付バーとして利用できるようにしても良い。その一例を以下に示す（第９図参照）。この腰受ボトム６０は後部が後下方に曲折されて構成されており、その後下方に曲折させた部位に挟み込み防止シート５９を吊設させている。このようにすると、収納機構１１の作動によって、挟み込み防止シート５９は腰受ボトム６０により摺動される。すなわち、腰受ボトムの一部をシート取付バーとして利用する際には、収納機構１１の作動に伴う腰受ボトムの動作により、挟み込み防止シートが腰受ボトムに摺動されるよう吊設できる腰受ボトムを構成すると良い。これによると、挟み込み防止手段の構成を簡略することができる。
また、左右一対のシート取付バー５８，５８ではなく、一体構成したシート取付バーを用いても良い。これらの様にして挟み込み防止手段を構成しても、本実施例と同様の作用と効果を得ることができる。
【産業上の利用可能性】
【００３０】
本実施例では、摺動台３の前後摺動動作の操作により、背受ボトム６の起伏動作と脚受ボトム７の収納動作及び腰受ボトム５の前後移動と揺動が行われるように構成することで、簡便にベッド状態とソファー状態の変態が行えるベッド１において、挟み込み防止手段を例示しているが、本発明にかかる挟み込み防止手段は、脚側ボトムを少なくとも背側ボトムの下方に収納できるベッドにおいて、利用することができる。
【図面の簡単な説明】
【００３１】
【図１】ベッドを示す全体斜視図。                                            （ａ）ベッド状態を示す全体斜視図。                                          （ｂ）ソファー状態を示す全体斜視図。
【図２】基台部を示す全体斜視図。
【図３】摺動台を示す全体斜視図。
【図４】作動部の取付け状態を示す説明図。
【図５】起伏機構の構成を示す説明図。
【図６】収納機構の構成を示す説明図。
【図７】挟み込み防止手段の構成を示す説明図。
【図８】ベッドの前後方向における側断面図。                                  （ａ）ベッド状態における側断面図。                                          （ｂ）ベッド状態からソファー状態への変態動作時における側断面図。            （ｃ）ソファー状態における側断面図。
【図９】別の腰受ボトムを示す説明図。
【符号の説明】
【００３２】
１    ベッド
７    脚受ボトム
１２  挟み込み防止手段
５８  シート取付バー
５９  挟み込み防止シート
【図１】
2005176929.tif 000003
【図２】
2005176929.tif 000004
【図３】
2005176929.tif 000005
【図４】
2005176929.tif 000006
【図５】
2005176929.tif 000007
【図６】
2005176929.tif 000008
【図７】
2005176929.tif 000009
【図８】
2005176929.tif 000010
【図９】
2005176929.tif 000011